(57)【要約】  本出願は、タービン用の制御された先端バランススリット（２００）を提供する。タービン用の例示的な漏れ流制御システム（１１０）は、先端シュラウド（１５２）、ダイアフラムまたはガイドブレード（１３０）、ダイアフラムに結合され、先端シュラウド（１５３）に隣接して配置された延長リング（１６０）、および先端バランススリット（２００）を備えた流れランナ（１５０）を含み得る。【選択図】図３
2020505555.tif 000002
【特許請求の範囲】
【請求項１】
タービン（１０、１００、３１０、５００）用の漏れ流制御システム（１１０、３００、５１０）であって、
先端シュラウド（１５２）を備えた流れランナ（１５０）と、
ダイアフラム（１３０）またはガイドブレードと、
前記ダイアフラム（１３０）または前記ガイドブレードに結合され、前記先端シュラウド（１５２）に隣接して配置された延長リング（１６０、５３０）と、
前記ダイアフラム（１３０）または前記ガイドブレードに少なくとも部分的に形成された先端バランススリット（２００、４３０）と
を備える、漏れ流制御システム（１１０、３００、５１０）。
【請求項２】
流体シール（４６０）を前記先端バランススリット（２００、４３０）の端部にさらに備える、請求項１に記載の漏れ流制御システム（１１０、３００、５１０）。
【請求項３】
前記流体シール（４６０）が、前記タービン（１０、１００、３１０、５００）の外側ケーシング（１２０）に配置されている、請求項２に記載の漏れ流制御システム（１１０、３００、５１０）。
【請求項４】
前記流体シール（４６０）は、前記ダイアフラム（１３０）または前記ガイドブレードの下流セクションに配置される、請求項２に記載の漏れ流制御システム（１１０、３００、５１０）。
【請求項５】
前記流体シール（４６０）は、漏れ流が前記延長リング（１６０、５３０）の後ろを通過するのを防ぐように配置される、請求項２に記載の漏れ流制御システム（１１０、３００、５１０）。
【請求項６】
前記ダイアフラム（１３０）または前記ガイドブレードの周りの先端漏れジェット（１８０、３９０）用の流路（４１０）と、
前記延長リング（１６０、５３０）と前記ダイアフラム（１３０）または前記ガイドブレードとの間の隙間（１７０、４００、４５０）であって、前記先端漏れジェット（１８０、３９０）の少なくとも一部は、前記流路（４１０）を通って前記隙間（１７０、４００、４５０）に流れ込む、隙間（１７０、４００、４５０）と
をさらに備え、
前記先端バランススリット（２００、４３０）は前記延長リング（１６０、５３０）に形成されている、請求項１に記載の漏れ流制御システム（１１０、３００、５１０）。
【請求項７】
前記流路（４１０）の少なくとも一部が、破砕ペグ、柱、スリット、またはそれらの組み合わせのうちの１つまたは複数によって形成された開口部を備える、請求項６に記載の漏れ流制御システム（１１０、３００、５１０）。
【請求項８】
前記隙間（１７０、４００、４５０）に配置された流体シール（４６０）をさらに備える、請求項６に記載の漏れ流制御システム（１１０、３００、５１０）。
【請求項９】
前記延長リング（１６０、５３０）に形成された角度付き先端バランススリット（４５０）をさらに備え、前記角度付き先端バランススリット（４５０）は、前記先端漏れジェット（１８０、３９０）を主流の流れに対向して再導入するように構成される、請求項６に記載の漏れ流制御システム（１１０、３００、５１０）。
【請求項１０】
前記延長リング（１６０、５３０）と前記先端シュラウド（１５２）との間に隙間（１７０、４００、４５０）をさらに備え、先端漏れジェット（１８０、３９０）が前記隙間（１７０、４００、４５０）を通って流れる、請求項１に記載の漏れ流制御システム（１１０、３００、５１０）。
【請求項１１】
前記先端バランススリット（２００、４３０）が半径方向外向きに前記ダイアフラム（１３０）または前記ガイドブレードに形成され、前記先端バランススリット（２００、４３０）が前記先端漏れジェット（１８０、３９０）用の下流経路を形成する、請求項１０に記載の漏れ流制御システム（１１０、３００、５１０）。
【請求項１２】
前記先端バランススリット（２００、４３０）の端部にチャンバ（２１０，４２０）をさらに含む、請求項１に記載の漏れ流制御システム（１１０、３００、５１０）。
【請求項１３】
前記先端漏れジェット（１８０、３９０）を主流の流れに再導入するように構成された先端バランススリット出口（２２０）をさらに備える、請求項１に記載の漏れ流制御システム（１１０、３００、５１０）。
【請求項１４】
前記延長リング（１６０、５３０）は、複数のシールフィン（１６２）を備える、請求項１に記載の漏れ流制御システム（１１０、３００、５１０）。
【発明の詳細な説明】
【技術分野】
【０００１】
本出願および結果として得られる特許は、一般に、任意のタイプの軸流タービンに関し、より具体的には、蒸気タービン用の先端バランススリットに関する。
【背景技術】
【０００２】
一般的に説明すると、蒸気タービンなどは、蒸気入口、タービンセクション、および蒸気出口を含む所定の蒸気経路を有することができる。より高い圧力の領域からより低い圧力の領域へと蒸気経路から流れ出し、あるいは蒸気経路へと流れ込む蒸気の漏れが、蒸気タービンの運転効率に悪影響を及ぼす可能性がある。例えば、回転シャフトと周囲を囲むタービンケーシングとの間の蒸気タービン内の蒸気経路の漏れが、蒸気タービンの全体としての効率を低下させる可能性がある。
【０００３】
蒸気は一般に、典型的に直列に配置されたいくつかのタービン段を流れ、第１段のガイドおよびブレード（またはノズルおよびバケット）を通過し、その後タービンの後段のガイドおよびブレードを通過する。このようにして、ガイドは蒸気をそれぞれのブレードに向け、ブレードを回転させ、発電機などの負荷を駆動させることができる。蒸気は、ブレードを囲む周方向シュラウドによって封じ込めることができ、これはまた、蒸気を経路に沿って方向付けるのに役立ち得る。このようにして、タービンガイド、ブレード、およびシュラウドは、蒸気に起因する高温にさらされる可能性があり、その結果、これらの構成要素にホットスポットが形成され、高い熱応力が生じる可能性がある。蒸気タービンの効率はその動作温度に依存するため、蒸気または高温ガス経路に沿って配置された構成要素が、故障や耐用年数の低下なしに、より高い温度に耐えられるように継続的な要求がある。
【０００４】
場合によっては、蒸気の主流流路からの漏れ流は、タービンエンジンの構成要素間の隙間を通って流れることがある。そのような漏れ流は、タービン効率を低下させ、混合損失、主流の流れの分裂、後続のブレード列への入射、および／または他の損失を引き起こす可能性がある。
【先行技術文献】
【特許文献】
【０００５】
【特許文献１】米国特許出願公開第２０１６／０２８１５１８号明細書
【発明の概要】
【０００６】
本出願および結果として得られた特許は、タービンの漏れ流制御システムを提供する。例示的な漏れ流制御システムは、先端シュラウド、ダイアフラム、ダイアフラムに結合され、先端シュラウドに隣接して配置された延長リング、および先端バランススリットを備えた流れランナを含み得る。
【０００７】
本出願および結果として得られる特許はさらに、タービン内の漏れ流を制御する方法を提供する。この方法は、先端漏れジェットを先端シュラウドとタービンの第１延長リングとの間に誘導するステップと、先端漏れジェットをダイアフラムの周りに誘導するステップと、先端漏れジェットを第２延長リング間の隙間に誘導するステップと、先端漏れジェットを第２延長リングに形成された先端バランススリットを通って誘導するステップとを含んでもよい。
【０００８】
本出願および結果として得られる特許はさらに、漏れ流制御システムを備えた蒸気タービンを提供する。蒸気タービンは、第１先端シュラウドを備えた第１流れランナと、第２先端シュラウドを備えた第２流れランナであって、第１流れランナの下流にある第２流れランナと、ダイアフラムと、第１流れランナから第２流れランナへのダイアフラムの少なくとも一部の周りの流路と、流路の下流の先端バランススリットであって、流路から第２流れランナの近くの主流の流れに先端漏れジェットを導入するように構成された、先端バランススリットとを含んでもよい。
【０００９】
本出願および結果として得られる特許のこれらの特徴および改良ならびに他の特徴および改良が、以下の詳細な説明を、いくつかの図面および添付の特許請求の範囲と併せて検討することによって、当業者にとって明らかになるであろう。
【図面の簡単な説明】
【００１０】
【図１】蒸気タービンの概略図である。
【図２】図１の蒸気タービンで使用できるタービンの一部の概略図であり、様々なタービン構造を示している。
【図３】１つまたは複数の実施形態による、本明細書で説明されるような先端バランススリットを備えた漏れ流制御システムを備えたタービンの一部の概略図である。
【図４Ａ】１つまたは複数の実施形態による、本明細書で説明するような先端バランススリットを備えた漏れ流制御システムを備えたタービンの一部の概略図である。
【図４Ｂ】１つまたは複数の実施形態による、本明細書で説明するような先端バランススリットを備えた漏れ流制御システムを備えたタービンの一部の概略図である
【図５】１つまたは複数の実施形態による、本明細書で説明されるような先端バランススリットを備えた漏れ流制御システムを備えたタービンの一部の概略図である。
【発明を実施するための形態】
【００１１】
ここで図面を参照すると、いくつかの図を通して類似の数字は類似の要素を指しており、図１が、蒸気タービン１０の一例の概略図を示している。一般的に説明すると、蒸気タービン１０は、高圧セクション１５および中圧セクション２０を含むことができる。ロータホイールは、セクション１５および２０を通って延伸してもよい。他のセクションにおける他の圧力も、本明細書において使用可能である。外殻またはケーシング２５を、上半分３０および下半分３５へと軸方向に分割することができる。ケーシング２５の中央部４０が、高圧蒸気入口４５および中圧蒸気入口５０を含むことができる。ケーシング２５内で、高圧セクション１５および中圧セクション２０を、ロータまたはディスク５５を中心にして配置することができる。ディスク５５を、いくつかのベアリング６０によって支持することができる。蒸気シールユニット６５を、各々のベアリング６０の内側に配置することができる。環状のセクション仕切り７０を、中央部４０からディスクに向かって半径方向内側に延ばすことができる。仕切り７０は、いくつかのパッキンケーシング７５を含むことができる。他の構成要素および他の構成も、使用することが可能である。
【００１２】
動作時に、高圧蒸気入口４５は、蒸気源から高い圧力および蒸気を受け取る。蒸気は、ディスク５５の回転によって蒸気から仕事が抽出されるように、高圧セクション１５を通って導かれる。蒸気を、高圧セクション１５を出た後に、再加熱のために蒸気源へと戻すことができる。次いで、再加熱後の蒸気を、中圧セクションの入口５０へと再び導くことができる。蒸気を、高圧セクション１５に進入する蒸気と比べて低い圧力および高圧セクション１５に進入する蒸気の温度にほぼ等しい温度で、中圧セクション２０へと戻すことができる。したがって、高圧セクション１５における動作圧力が中圧セクション２０における動作圧力よりも高くなる可能性があるため、高圧セクション１５内の蒸気が、高圧セクション１５と中圧セクション２０との間に生じ得る漏洩経路を通って、中圧セクション２０に向かって流れる傾向にある。そのような漏洩経路の１つは、ディスクシャフト５５の周囲でパッキンケーシング７５を通って延びる可能性がある。他の漏洩が、蒸気シールユニット６５および他の場所において生じる可能性がある。特定の実施形態の文脈で説明しているが、本開示の他の実施形態は、ドラムロータ構造を備えた反動技術ブレーディング（ＲＴＢ）などのタービン構造の他の方法で、またはガイドおよびシールをケーシングに直接取り付けることができる場合に使用することができる。
【００１３】
図２は、蒸気タービン１０の一部の様々な構造の概略図を示している。蒸気タービン１０は、インパルス構造８０を有することができる。インパルス構造のタービンは、根元部の反動が低く、ディスクおよびダイアフラムの構造を有してもよい。図示のように、インパルス構造８０は、互いに隣接するガイドとランナを含むことができる。他の実施形態では、タービン１０は、反動技術ブレーディング９０を有することができる。反動技術ブレーディング９０は、反動ドラム構造を有していてもよく、ランナとの１つまたは複数のダブテールを含んでいてもよい。ダブテールは、それぞれのランナをドラムに固定するために使用できる。特定の実施形態は、インパルスおよび反動技術ブレーディングと共に使用されてもよい。他の実施形態は異なる構成を有してもよい。
【００１４】
図３は、本明細書で使用することができる漏れ流制御システム１１０を備えた蒸気タービン１００の一部の概略図を示している。漏れ流制御システム１１０は、蒸気タービン１００の１つまたは複数の構成要素を通る漏れ流を制限するために使用することができる。漏れ流制御システム１１０は、外側ケーシング１２０、ダイアフラム１３０、または他の場所の周りで使用することができる。
【００１５】
蒸気タービン１００は、タービン１００の異なる段のために、いくつかの流れガイド１４０およびいくつかのブレードまたは流れランナ１５０を含むことができる。例えば、図示された流れランナ１５０は第１段ランナであってもよく、図示されたフローガイド１４０は第１段ガイドであってもよい。フローガイド１４０および流れランナ１５０は、ディスクまたはドラムに結合されてもよい。任意の数の段および／またはガイドおよびランナを含むことができる。
【００１６】
流れランナ１５０の１つまたは複数、あるいはそれぞれは、先端、ブレード、および根元部を含み得る。根元部は、ランナをタービン１００のディスクまたはドラムに結合するように構成されてもよい。ブレードは根元部と先端の間に配置することができる。いくつかの実施形態では、先端シュラウド１５２は、流れランナ１５０の先端に結合されるか、あるいはその他の方法で形成されてもよい。
【００１７】
ダイアフラム１３０は、タービンケーシング１２０内の圧力段の前に仕切りを形成することができる。ダイアフラム１３０は、段間でノズルおよび／またはシールを保持してもよい。ダイアフラム１３０は、プラットフォームダイアフラムであってもよい。延長リング１６０をダイアフラム１３０の一部に結合するか、あるいはその他の方法で取り付けることができる。延長リング１６０は、流れランナ１５０の先端シュラウド１５２に隣接して配置することができる。延長リング１６０は、延長リング１６０から先端シュラウド１５２に向かって延びるいくつかのシールフィン１６２を含むことができる。
【００１８】
延長リング１６０のシールフィン１６２と流れランナ１５０の先端シュラウド１５２との間に隙間１７０を形成することができる。隙間１７０は、タービン１００の運転中に流れランナ１５０の移動用のクリアランスを生成するように形成されてもよい。動作中、先端漏れジェット１８０などの漏れ流は、タービン１００の一部を通って流れる場合がある。先端漏れジェット１８０は、主流の流れ１９０の一部であってもよい。例えば、先端漏れジェット１８０は、シールフィン１６２および／または延長リング１６０の別の部分と流れランナ１５０との間の隙間１７０を通って流れることができる。
【００１９】
先端漏れジェット１８０は、タービン１００の効率および／または性能の低下を引き起こす可能性がある。先端漏れジェット１８０は、隙間１７０を通って流れ、主流の流れ１９０に再び入ることができる。しかし、先端漏れジェット１８０は、主流の流れを乱し、漏れと主流の流れとの間の混合損失を引き起こす可能性がある。先端漏れジェット１８０はまた、エントロピーを増加させ、下流のブレード列への入射を増加させる場合がある。
【００２０】
漏れ流制御システム１１０は、先端漏れジェット１８０によって引き起こされる損失を低減または排除することができる。図３の例では、漏れ流制御システム１１０は、１つまたは複数の先端バランススリット２００を含むことができる。先端バランススリット２００は、ダイアフラム１３０または外側ケーシング１２０に形成されてもよい。先端バランススリット２００は、穴、スリット、または先端漏れジェット１８０などの流体が流れる経路を形成する別の開口部であってもよい。先端バランススリット２００は、半径方向外向きにダイアフラム１３０に形成されてもよい。例えば、図３に示されるように、先端バランススリット２００は、流体が隙間１７０から下流に流れるための傾斜経路を作るように形成されてもよい。したがって、先端バランススリット２００は、先端漏れジェット１８０のための下流経路を形成し得る。先端バランススリット２００は、一例では、ダイアフラムの一部を機械加工またはその他の方法で除去することによって形成されてもよく、タービン１００の周りに周方向または部分的周方向スロットを形成してもよい。
【００２１】
漏れ流制御システム１１０は、先端バランススリット２００の端部２１２にチャンバ２１０を含むことができる。チャンバ２１０は、先端バランススリット２００の一部であってもよく、先端バランススリット２００と流体連通してもよい。チャンバ２１０は、先端バランススリット２００よりもサイズおよび／または直径が大きくてもよい。漏れ流制御システム１１０は、チャンバおよび／または先端漏れジェット１８０を主流の流れ１９０に再導入するように構成された先端バランススリット２００と連通する先端バランススリット出口２２０を含むことができる。先端バランススリット出口２２０は、先端バランススリット２００と同じ角度または向きで、または異なる角度または向きで角度を付けられ、または方向付けられてもよい。図３に示されるように、先端バランススリット出口２２０は、主流の流れ１９０に対して角度を付けて、または部分的に角度を付けてもよい。
【００２２】
１つまたは複数の先端バランス穴またはスリット２００を備えた漏れ流制御システム１１０は、ダイアフラム１３０の周りに先端漏れジェット１８０を誘導し、タービンシュラウドに積極的な仕事を与え、蒸気ブランケットまたはシール効果をもたらしてもよい。
【００２３】
図４Ａ〜図４Ｂは、本明細書に記載の漏れ流制御システム３００の別の実施形態を示している。図４では、タービン３１０は、第１シュラウド３２２を備えた第１流れランナ３２０と、第２シュラウド３３２を備えた第２流れランナ３３０と、第３シュラウド３４２を備えた第３流れランナ３４０とを含むことができる。タービン３１０は、反動技術ブレーディング構造を有してもよい。タービン３１０は、第１流れランナ３２０と第２流れランナ３３０との間に第１ダイアフラム３５０を含み、第２流れランナ３３０と第３流れランナ３４０との間に第２ダイアフラム３６０を含んでもよい。第２流れランナ３３０は、第１流れランナ３２０に対応するタービン段よりも比較的低い圧力を有するタービン段に対応してもよい。同様に、第３流れランナ３４０は、第２流れランナ３３０に対応するタービン段よりも比較的低い圧力を有するタービン段に対応してもよい。第２流れランナ３３０は、第１流れランナ３２０の下流にあってもよく、第３流れランナ３４０は、第２流れランナ３３０の下流にあってもよい。
【００２４】
タービン３１０は、第１先端シュラウド３２２に隣接する第１ダイアフラム３５０に結合され得る第１延長リング３７０を含み得る。第２延長リング３８０は、第２先端シュラウド３３２に隣接する第２ダイアフラム３６０に結合されてもよい。先端漏れジェット３９０は、第１延長リング３７０と第１先端シュラウド３２２との間の隙間４００を通って流れることができる。
【００２５】
漏れ流制御システム３００は、第１ダイアフラム２５０の少なくとも一部を通る流路４１０を含むことができる。流路４１０は、第１ダイアフラム３５０の周りに延びていてもよく、タービン３１０内の構成要素間の開口部または隙間であってもよい。具体的には、流路４１０は、一例では、第１流れランナ３２０から第２流れランナ３３０まで、または第１流れランナ３２０および第２流れランナ３３０のいずれかまたは両方に隣接する領域まで延びてもよい。流路４１０は、完全な３６０度の入口を有し得る。
【００２６】
流路４１０の一部または全部は、破砕ペグ、柱、スリット、またはそれらの組み合わせのうちの１つまたは複数によって形成されてもよい。ダイアフラムヘッドを配置するために、破砕ペグなどを使用できる。例えば、破砕ペグ、柱などを使用して、１つまたは複数のタービン構成要素に追加の隙間、スリット、または穴を形成することができる。流路の一部は、ガイドの圧力面４７０の隙間に沿って、または隙間によって形成され、第１先端バランススリットを形成するが、他の実施形態では、ランナに隣接する延長リングで流体シールを使用して、先端漏れ流用の出口４８０を提供する。いくつかの実施形態は、これらの構成の一方または他方、または両方を使用してもよい。
【００２７】
流路４１０は、第２延長リング３８０とケーシングおよび／またはダイアフラムとの間の空間またはチャンバ４２０と流体連通していてもよい。いくつかの実施形態では、第２延長リング３８０は、先端漏れジェット３９０を主流の流れに再導入するように短縮またはその他の方法で変更されてもよい。他の実施形態では、第２延長リング３８０の下流セクションは、ケーシング内に配置されてもよく（例えば、バネ付きグランドなど）、またはダイアフラムの下流に配置されてもよい。ダイアフラムの下流に位置する場合、先端漏れスロットを使用して、空間から先端漏れ流３９０を抽出することができる。
【００２８】
具体的には、タービン３１０は、第１ダイアフラム３５０と第２延長リング３８０との間に隙間４５０を含むことができる。先端漏れジェット３９０の少なくとも一部は、流路４１０を通って隙間４５０に流れ込むことができる。
【００２９】
流体シール４６０は、隙間４５０に配置されてもよい。いくつかの実施形態では、流体シール４６０は、先端バランススリットの端部、または隙間４５０の下流セクション、および／またはタービンの外側ケーシングに配置することができる。流体シール４６０は、漏れ流が延長リングの後ろを通過するのを防ぐように配置されてもよい。流体シール４６０は、漏れ流損失を低減してもよく、特定の故障を起こしにくい可能性がある。
【００３０】
流路４１０を使用して、第１ダイアフラム３５０を横切って漏れ流を通過させることができる。先端漏れジェット３９０は、第１ダイアフラム３５０の周りの流路４１０内へ、および第２延長リング３８０とダイアフラムまたはケーシングとの間の空間内へ流れ込んでもよい。
【００３１】
１つまたは複数の先端バランススリット４３０を第２延長リング３８０に形成して、先端漏れジェット３９０を空間から主流の流れに再導入することができる。例えば、第１先端バランススリット４４０は、流路４１０の下流にあってもよく、先端漏れジェット３９０を流路４１０から第２流れランナ３３０の近くの主流の流れに導入するように構成されてもよい。いくつかの実施形態では、第１先端バランススリット４４０は、角度付き先端バランススリットであってもよく、一方、他の実施形態では、第１先端バランススリット４４０は、直線先端バランススリットであってもよい。いくつかの実施形態は、２つ以上のタイプの先端バランススリットを含むことができる。
【００３２】
漏れ流制御システム３００は、第２先端バランススリットを含んでもよく、これは第１先端バランススリット４４０に隣接して配置された角度付き先端バランススリット４５０であってもよい。角度付き先端バランススリット４５０は、延長リングに形成されてもよく、先端漏れジェットを主流の流れに対向して再導入するように構成されてもよい。例えば、角度付き先端バランススリット４５０は、先端漏れ流３９０の一部を主流の流れの上流、または主流の流れに対向して導入するように角度を付けることができる。角度付き先端バランススリット４５０は、第１先端バランススリット４４０の下流にあってもよい。
【００３３】
したがって、漏れ流制御システム３００は、先端漏れ流を飲み込み、シュラウド上に流れを旋回させて、風損を最小限にし、蒸気ブランケット効果を提供することができる。段効率利得が向上する場合がある。
【００３４】
図５では、蒸気タービン５００の一部が漏れ流制御システム５１０と共に示されている。漏れ流制御システム５１０は、延長リング５３０に１つまたは複数の角度付きスロット５２０を含むことができる。延長リング５３０は、短縮および／または単純化された延長リングであってもよい。主流の流れとの相互作用を制限するために、上流および／または下流のダイアフラムにシール機能を含めることができる。バネ付きシール５４０をケーシング内に配置することができ、これにより、ケーシングの歪みによりわずかに隙間が増加するが、全体として損失が減少し、段効率が向上する。
【００３５】
タービンの漏れ流を制御する方法は、先端シュラウドとタービンの第１延長リングとの間に先端漏れジェットを誘導するステップと、ダイアフラムの周りに先端漏れジェットを誘導するステップと、第２延長リング間の隙間に先端漏れジェットを誘導するステップと、先端漏れジェットを第２延長リングに形成された先端バランススリットを通って誘導するステップとを含んでもよい。
【００３６】
本明細書で説明する漏れ流制御システムの結果として、蒸気タービンの段効率利得は約０．５０％であり、混合損失が低減し、次のブレード列の二次損失／入射が低減する可能性がある。特定の実施形態を使用して、既存の蒸気タービンを改造することができる。特定の実施形態は、タービンシュラウドに積極的な仕事をする１つまたは複数の先端バランススリットまたは穴を含むことができ、蒸気ブランケットまたはシール効果を提供することができる。したがって、漏れ流制御システムは、蒸気タービンのコストや複雑さを増やさずに、機械的信頼性を維持または改善しながら、段効率を改善する可能性がある。排出量が削減される場合がある。先端バランス穴は、主流の流れの取り込みを防ぎ、それによりタービン出力を増加させる場合がある。特定の実施形態は、インパルスおよび反動技術ブレーディングと共に使用されてもよい。
【００３７】
以上が、あくまでも本出願および得られる特許のうちの特定の実施形態に関するにすぎないことは、明らかである。当業者であれば、以下の特許請求の範囲およびその均等物によって定められる本発明の一般的な趣旨および範囲から逸脱することなく、本明細書において数多くの変更および修正を行うことが可能である。
【符号の説明】
【００３８】
１０  蒸気タービン
１５  高圧セクション
２０  中圧セクション
２５  ケーシング
３０  上半分
３５  下半分
４０  中央部
４５  高圧蒸気入口
５０  中圧蒸気入口
５５  ディスク、ディスクシャフト
６０  ベアリング
６５  蒸気シールユニット
７０  セクション仕切り
７５  パッキンケーシング
８０  インパルス構造
９０  反動技術ブレーディング
１００  蒸気タービン
１１０  漏れ流制御システム
１２０  外側ケーシング、タービンケーシング
１３０  ダイアフラム
１４０  フローガイド
１５０  流れランナ
１５２  先端シュラウド
１６０  延長リング
１６２  シールフィン
１７０  隙間
１８０  先端漏れジェット
２００  先端バランススリット
２１０  チャンバ
２１２  端部
２２０  先端バランススリット出口
２５０  第１ダイアフラム
３００  漏れ流制御システム
３１０  タービン
３２０  第１流れランナ
３２２  第１先端シュラウド
３３０  第２流れランナ
３３２  第２先端シュラウド
３４０  第３流れランナ
３４２  第３シュラウド
３５０  第１ダイアフラム
３６０  第２ダイアフラム
３７０  第１延長リング
３８０  第２延長リング
３９０  先端漏れジェット、先端漏れ流
４００  隙間
４１０  流路
４２０  チャンバ
４３０  先端バランススリット
４４０  第１先端バランススリット
４５０  隙間、角度付き先端バランススリット
４６０  流体シール
４７０  圧力面
４８０  出口
５００  蒸気タービン
５１０  漏れ流制御システム
５２０  角度付きスロット
５３０  延長リング
５４０  バネ付きシール
【図１】
2020505555.tif 000003
【図２】
2020505555.tif 000004
【図３】
2020505555.tif 000005
【図４Ａ】
2020505555.tif 000006
【図４Ｂ】
2020505555.tif 000007
【図５】
2020505555.tif 000008
【国際調査報告】
2020505555.tif 000009
2020505555.tif 000010